(57)【要約】【課題】  場所を取らずに、しかも全ての方向に容易にスライドさせて移動させることができ、使い勝手を向上させることが可能となる収納容器、及び収納容器等の底面に装着して使用されるスライド部材を提供する。【解決手段】  他の物品を収納する収納空間を形成する収納容器２の底面の複数ヶ所に、収納容器２よりも摩擦係数の小さな素材により形成された別部材からなるスライド部材２１を装着する。スライド部材２１によって、収納容器２の底面に、鉛直方向に膨出し任意の場所に置かれた状態の収納容器を支持する膨出部５を形成する。収納容器２がポリプロピレン製である場合には、スライド部材２１を形成する素材としてはポリアセタール等を使用する。【選択図】      図１
0003107595.tif 000002
【実用新案登録請求の範囲】
【請求項１】
他の物品を収納する収納空間を形成する収納容器において、
底面の複数箇所に、収納容器よりも摩擦係数の小さな素材により形成された別部材からなるスライド部材を装着し、そのスライド部材により、底面から鉛直方向に膨出し任意の場所に置かれた状態の収納容器を支持する膨出部を形成したことを特徴とする収納容器。
【請求項２】
前記スライド部材を、前記底面の外周側の複数箇所と、それら複数箇所によって囲まれる前記底面の所定箇所とに設けたことを特徴とする請求項１記載の収納容器。
【請求項３】
前記所定箇所は、底面の中央部の１箇所であることを特徴とする請求項２記載の収納容器。
【請求項４】
前記底面における前記スライド部材の装着箇所に、前記スライド部材が内嵌する取付凹部を形成したことを特徴とする請求項１記載の収納容器。
【請求項５】
収納容器の前記底面に底部を貫通する取付穴を開口させる一方、
前記スライド部材に、前記底面から鉛直方向に膨出する膨出部を形成する一般部と、該一般部の内側に突出する取付軸と、該取付軸の先端外周に周方向に分割して形成された抜け止め用の複数の爪とを設け、
前記スライド部材の収納容器への装着時には、スライド部材の取付軸における前記複数の爪を内側に弾性移動させて収納容器の前記取付穴に圧入するとともに、前記取付穴を貫通して元の位置に復帰した複数の爪によりスライド部材を収納容器に係合させることを特徴とする請求項１記載の収納容器。
【請求項６】
前記スライド部材をポリアセタールにより成形したことを特徴とする請求項１記載の収納容器。
【請求項７】
前記スライド部材に、前記底面から鉛直方向に膨出する膨出部を形成する一般部と、該一般部の内側に突出するとともに前記収納容器に固定される取付軸とを設け、前記膨出部の表面を形成する前記一般部の外側表面を、鉛直方向における任意の断面が曲線となる曲面としたことを特徴とする請求項１記載の収納容器。
【請求項８】
前記スライド部材に、前記底面から鉛直方向に膨出する膨出部を形成する一般部と、該一般部の内側に突出し前記収納容器に固定される取付軸とを設け、前記膨出部の表面を形成する前記一般部の外側表面を球面の一部としたことを特徴とする請求項１記載の収納容器。
【請求項９】
任意の装着対象の底面の複数箇所に装着されるスライド部材であって、
前記装着対象の底面よりも摩擦係数の小さな素材により形成されるとともに、装着された装着対象の底面の複数箇所に、底面から鉛直方向に膨出し任意の場所に置かれた状態の装着対象を支持する膨出部を形成することを特徴とするスライド部材。
【請求項１０】
ポリアセタールにより成形したことを特徴とする請求項９記載のスライド部材。
【請求項１１】
前記スライド部材に、前記底面から鉛直方向に膨出する膨出部を形成する一般部と、該一般部の内側に突出するとともに前記収納容器に固定される取付軸とを設け、前記膨出部の表面を形成する前記一般部の外側表面を、鉛直方向における任意の断面が曲線となる曲面としたことを特徴とする請求項９記載の収納容器。
【請求項１２】
前記装着対象の底面に前記膨出部を形成する一般部と、該一般部の内側に突出するとともに装着対象に固定される取付軸とを設け、前記膨出部の表面を形成する前記一般部の外側表面を球面の一部としたことを特徴とする請求項９記載のスライド部材。
【考案の詳細な説明】
【技術分野】
【０００１】
本考案は、任意の物品を収容する収納容器、及び収納容器等の底面に装着して使用されるスライド部材に関する。
【背景技術】
【０００２】
従来、それ単独で、或いは複数段に積み重ねて使用される、例えば合成樹脂製の収納ケースにおいては、ケース本体の底部や側面に車輪を設けたり、或いはケース本体の底部にキャスターを設けたりすることにより、物品を収容した状態での移動を容易に行えるようにしている。
【考案の開示】
【考案が解決しようとする課題】
【０００３】
しかしながら、上記のように車輪やキャスターを設けたものでは、物品を収容した状態での移動が容易であったとしても、その移動方向が規制されているため、移動時の使い勝手が悪いという問題があった。無論、キャスターを設ける場合には、方向性が全くないものを採用すればよいが、その場合には、キャスターに係るコストが高くなり現実的ではなかった。
【０００４】
また、それとは別に、車輪やキャスターを設けた場合には、ケース本体の物品を収容する収容空間に突出部分を生じさせることとなり、その分使い勝手が犠牲となる。また、それを回避するため車輪やキャスターをケース本体の外周部に設けると、ケース本体の外形寸法（特に高さ寸法）が、その分だけ大きくなるため、例えばソファの下等の狭い場所で使用するものでは収納容量が犠牲となり、また、クローゼット内等において重ねて使用する場合に無駄な空間が必要となるという問題があった。
【０００５】
本考案は、かかる従来の課題に鑑みてなされたものであり、場所を取らずに、しかも全ての方向に容易にスライドさせて移動させることができ、使い勝手を向上させることが可能となる収納容器、及び収納容器等の底面に装着して使用されるスライド部材を提供することを目的とする。
【課題を解決するための手段】
【０００６】
前記課題を解決するため請求項１の考案にあっては、他の物品を収納する収納空間を形成する収納容器において、底面の複数箇所に、収納容器よりも摩擦係数の小さな素材により形成された別部材からなるスライド部材を装着し、そのスライド部材により、底面から鉛直方向に膨出し任意の場所に置かれた状態の収納容器を支持する膨出部を形成したものとした。
【０００７】
かかる構成においては、収納容器に、仮に多量の物品や重量物が収容された状態で、任意の場所に置かれているときであっても、それを容易にスライドさせて移動させることができる。その際、移動時方向が何ら規制されることがない。しかも、収納空間に突出部分を存在させることなく内部全てをフラットな形状にしつつ、収納容器の外形寸法（特に高さ寸法）を最小限に抑えることができる。
【０００８】
また、請求項２の考案にあっては、前記スライド部材を、前記底面の外周側の複数箇所と、それら複数箇所によって囲まれる前記底面の所定箇所とに設けたものとした。
【０００９】
かかる構成においては、収容物の重みで収納容器の底部が下方に撓むことをスライド部材によって防止することができる。
【００１０】
また、請求項３の考案にあっては、前記所定箇所は、底面の中央部の１箇所であるものとした。
【００１１】
かかる構成においても、収容物の重みで収納容器の底部が下方に撓むことをスライド部材によって防止することができる。
【００１２】
また、請求項４の考案にあっては、前記底面における前記スライド部材の装着箇所に、前記スライド部材が内嵌する取付凹部を形成したものとした。
【００１３】
かかる構成においては、収納容器の移動時に、収納容器又はスライド部材の取付部位に過大な力が加わることがない。
【００１４】
また、請求項５の考案にあっては、収納容器の前記底面に底部を貫通する取付穴を開口させる一方、前記スライド部材に、前記底面から鉛直方向に膨出する膨出面を形成する一般部と、該一般部の内側に突出する取付軸と、該取付軸の先端外周に周方向に分割して形成された抜け止め用の複数の爪とを設け、前記スライド部材の収納容器への装着時には、スライド部材の取付軸における前記複数の爪を内側に弾性移動させて収納容器の前記取付穴に圧入するとともに、前記取付穴を貫通して元の位置に復帰した複数の爪によりスライド部材を収納容器に係合させるものとした。
【００１５】
かかる構成においては、収納容器へのスライド部材の装着を、極めて容器かつ確実に行うことができる。
【００１６】
また、請求項６の考案にあっては、前記スライド部材をポリアセタールにより成形したものとした。
【００１７】
また、請求項７の考案にあっては、前記スライド部材に、前記底面から鉛直方向に膨出する膨出部を形成する一般部と、該一般部の内側に突出するとともに前記収納容器に固定される取付軸とを設け、前記膨出部の表面を形成する前記一般部の外側表面を、鉛直方向における任意の断面が曲線となる曲面としたものとした。
【００１８】
かかる構成においては、収納容器が置かれた任意の場所の接触面と膨出部との接触面積を小さくすることができる。
【００１９】
また、請求項８の考案にあっては、前記スライド部材に、前記底面から鉛直方向に膨出する膨出部を形成する一般部と、該一般部の内側に突出し前記収納容器に固定される取付軸とを設け、前記膨出部の表面を形成する前記一般部の外側表面を球面の一部としたものとした。
【００２０】
かかる構成においても、収納容器が置かれた任意の場所の接触面と膨出部との接触面積を小さくすることができる。
【００２１】
また、請求項９の考案にあっては、任意の装着対象の底面の複数箇所に装着されるスライド部材であって、前記装着対象の底面よりも摩擦係数の小さな素材により形成されるとともに、装着された装着対象の底面の複数箇所に、底面から鉛直方向に膨出し任意の場所に置かれた状態の装着対象を支持する膨出部を形成するものとした。
【００２２】
かかる構成においては、それを装着した装着対象が任意の場所に置かれているとき、それを容易にスライドさせて移動させることができる。その際、移動時方向が何ら規制されることがない。
【００２３】
また、請求項１０の考案にあっては、ポリアセタールにより成形したものとした。
【００２４】
また、請求項１１の考案にあっては、前記スライド部材に、前記底面から鉛直方向に膨出する膨出部を形成する一般部と、該一般部の内側に突出するとともに前記収納容器に固定される取付軸とを設け、前記膨出部の表面を形成する前記一般部の外側表面を、鉛直方向における任意の断面が曲線となる曲面としたものとした。
【００２５】
かかる構成においては、装着対象が置かれた任意の場所の接触面と膨出部との接触面積を小さくすることができる。
【００２６】
また、請求項１２の考案にあっては、前記装着対象の底面に前記膨出部を形成する一般部と、該一般部の内側に突出するとともに装着対象に固定される取付軸とを設け、前記膨出部の表面を形成する前記一般部の外側表面を球面の一部としたものとした。
【００２７】
かかる構成においても、装着対象が置かれた任意の場所の接触面と膨出部との接触面積を小さくすることができる。
【考案の効果】
【００２８】
以上のように、請求項１〜請求項８の収納容器においては、仮に多量の物品や重量物が収容された状態で、任意の場所に置かれているときであっても、それを容易にスライドさせて移動させることができ、その際、移動時方向が何ら規制されることがない。しかも、収納空間に突出部分を存在させることなく内部全てをフラットな形状にしつつ、収納容器の外形寸法（特に高さ寸法）を最小限に抑えることができるようにした。よって、場所を取らずに、しかも全ての方向に容易にスライドさせて移動させることができ、収納容器の使い勝手を向上させることが可能となる。また、膨出部を、収納容器と別部材のスライド部材によって形成するため、スライド部材の素材を適宜選択することにより、高いスライド性能（移動性能）を容易に確保することができる。
【００２９】
特に、請求項２，３の考案においては、収容物の重みで収納容器の底部が下方に撓むことをスライド部材によって防止することができるようにした。よって、収納容器に多量の物品や重量物が収容されることにより、その底部が下方に撓むような場合においても高いスライド性能を維持することができる。
【００３０】
また、請求項４の考案においては、収納容器の移動時に、収納容器又はスライド部材の取付部位に過大な力が加わることがないようにした。よって、収納容器又は又はスライド部材の取付部位の破損に伴うスライド部材の脱落を未然に防止することができ、信頼性や耐久性を向上させることができる。
【００３１】
また、請求項５の考案においては、収納容器へのスライド部材の装着を、極めて容易かつ確実に行うことができる。
【００３２】
また、請求項７，８の考案においては、収納容器が置かれた任意の場所の接触面と膨出部との接触面積を小さくすることができるようにした。よって、収納容器により高いスライド性能（移動性能）を確保することができる。
【００３３】
また、請求項９〜請求項１２のスライド部材においては、それを装着した装着対象が任意の場所に置かれているとき、それを容易にスライドさせて移動させることができ、しかも、その際には移動時方向が何ら規制されることがないようにした。よって、場所を取らずに、しかも全ての方向に容易にスライドさせて移動させることができ、装着対象の使い勝手を向上させることが可能となる。また、スライド部材の素材を適宜選択することにより、装着対象に高いスライド性能（移動性能）を容易に確保することができる。
【００３４】
特に、請求項１１，１２の考案においては、装着対象が置かれた任意の場所の接触面と膨出部との接触面積を小さくすることができるようにした。よって、装着対象により高いスライド性能（移動性能）を確保することができる。
【考案を実施するための最良の形態】
【００３５】
以下、本考案の好ましい実施の形態を図にしたがって説明する。図１は、本発明に係る薄型ボックス１を示す図である。この薄型ボックス１は、一般家庭のソファの下やクローゼット内に置かれ、任意の物品の収納に用いられるものであって、ポリプロピレンによって形成されている上面開口状の容器本体２と、その上部を閉鎖する蓋体３とから構成されている。
【００３６】
容器本体２は、任意の物品を収納する収納空間を形成する本考案の収納容器（装着対象でもある）であって、その上部の相対向する両辺には、前記蓋体３を固定するためのバックル４，４が設けられている。また、容器本体２の略正方形の底面２ａには、図３に示したように、周囲の四隅と中央部との５箇所に、任意の場所に置かれた状態の容器本体２を支持する膨出部５が設けられる。また、これと対応して、蓋体３には、図２に示したように、他の薄型ボックス１を重ねて使用するとき前記膨出部５が位置する５箇所に凹部６が形成されている。これにより薄型ボックス１を重ねて使用する際における上段側の薄型ボックス１のズレが防止できるようになっている。
【００３７】
一方、前記膨出部５は、容器本体２とは別に、ポリプロピレンよりも表面の摩擦抵抗が小さなポリアセタール（ジュラコンとも呼ばれる）によって形成された、本考案における別部材からなるスライド部材２１（図７参照）が、容器本体２の底部に装着されることによって形成されている。以下、本実施の形態におけるスライド部材２１及びその取付構造について詳述する。
【００３８】
まずスライド部材２１側の構造を説明する。図７はスライド部材２１を示す図であって、同図（ａ）は平面図、同図（ｂ）は側面図、同図（ｃ）はＢ−Ｂ断面図、同図（ｄ）はＡ−Ａ断面図である。
【００３９】
図示したように、スライド部材２１は、容器本体２に装着された状態において容器本体２の底面２ａから鉛直方向に膨出する前記膨出部５の表面すなわち膨出面を形成する湾曲した薄い円板状の一般部２２と、取付軸２３とから構成されている。一般部２２は、所定の厚さを有する中空状の球体の一部を一切断したとき得られる形状であって、膨出部５の表面を形成する外側表面２２ａが球面の一部をなして湾曲しており、その内側中央部に上記取付軸２３が突出している。取付軸２３は、円柱の先端側に小径部を設けるとともに周方向に４分割した形状であって、その先端部には、外周に突出するとともに周方向に分割形成された抜け止め用の４つの爪２４が形成されている。
【００４０】
次に、容器本体２側の構造について説明する。図４は、バックル４を取り外した状態における容器本体２の左半分を示す平面図、同様に図５は容器本体２の左半分を示す底面図である。
【００４１】
図５に示したように、容器本体２の底面２ａには、前記膨出部５に相当する位置に、前述したスライド部材２１（一般部２２）が内嵌する取付凹部７が形成されている。取付凹部７は、図６に示したように、底面２ａにリング状のリブ８が突設されることによって形成されてものであって、その中央部には、軸芯に容器本体２の底部を貫通する貫通穴９（図４参照）が開口する円筒部１０が突設されている。また、貫通穴９の内周面には、容器本体２の収納空間１００を形成する内側底面２ｂの近くに、貫通穴９よりも小径である本考案における取付穴１２を形成する鍔部１３が形成されている。さらに、取付凹部７の内側には、上記円筒部１０から４方向に放射状に延出する４枚の支持リブ１１が形成されている。なお、４枚の支持リブ１１は、上記円筒部１０の補強と、装着されたスライド部材２１の一般部２２を内側からの支持を目的として設けられている。
【００４２】
そして、前述したスライド部材２１は、容器本体２の底面２ａ側から収納空間１００に向けて、前述した取付軸２３の先端部における４つの爪２４を内側に弾性移動させながら前記取付穴１２に圧入することにより容器本体２に装着されている。また、装着後のスライド部材２１は、図８に示したように、圧入後に元の位置に復帰した４つの爪２４が前記鍔部１３に係止されることによって容器本体２に係合し、容器本体２からの脱落を防止されている。
【００４３】
以上の構成からなる薄型ボックス１においては、容器本体２の底面２ａの複数箇所に前述したスライド部材２１によって形成された膨出部５が設けられていることから、使用時には、仮に多量の物品や重量物が収容された状態で、ソファの下やクローゼット内等に置かれているときであっても、それを容易にスライドさせて移動させることができる。しかも、従来のようにキャスターを設ける場合に比べ、収納空間１００に突出部分を存在させることなく内部全てをフラットな形状にしつつ、薄型ボックス１の外形寸法（特に高さ寸法）を最小限に抑えることができる。よって、ソファの下等の狭い場所で使用する場合や、クローゼット内等において重ねて使用する場合における使い勝手を向上させることができる。また、移動時方向が何ら規制されることがなく、それによっても使い勝手を向上させることができる。
【００４４】
しかも、膨出部５を、容器本体２と別部材であるスライド部材２１によって形成することから、スライド部材２１の素材を適宜選択することにより、薄型ボックス１に高いスライド性能（移動性能）を容易に確保することができる。
【００４５】
また、膨出部５の膨出面を形成するスライド部材２１の一般部２２の外側表面２２ａを球面の一部としたことから、膨出部５と床面等の接触面積を小さくすることができ、薄型ボックス１により高いスライド性能（移動性能）を確保することができる。なお、前記一般部２２の外側表面２２ａの形状は球面の一部でなくともよく、鉛直方向（膨出部５の膨出方向）における任意の断面が曲線となる曲面であればよい。
【００４６】
また、膨出部５を、容器本体２の底面２ａの周囲の四隅だけでなく、中央部にも設けたことから、収納空間１００に多量の物品や重量物が収容されることによって、その底部が下方に撓むような場合においても高いスライド性能を維持することができる。それにより、信頼性や耐久性を向上させることができる。なお、底面２ａの周囲以外に膨出部５を設ける箇所は、容器本体２の底面２ａの面積や形状等に応じて適宜増やすことができる。
【００４７】
また、容器本体２の底面２ａに取付凹部７を設け、そこにスライド部材２１を内嵌させるようにしたことから、薄型ボックス１の移動時に、容器本体２又はスライド部材２１の取付部位に過大な力が加わることがない。したがって、容器本体２又はスライド部材２１の取付部位に破損に伴うスライド部材２１の脱落を未然に防止することができる。
【００４８】
また、スライド部材２１は、前述したように取付軸２３の先端部を、容器本体２の取付穴１２に圧入するだけで、容器本体２に容易に装着させることができ、しかも装着後における容器本体２からの脱落を防止されるため、スライド部材２１の装着作業を極めて容易かつ確実に行うことができる。なお、本実施の形態においては、スライド部材２１の取付軸２３の先端部に４つの爪２４を設けたが、先端部に設ける爪２４の数は複数であればよい。また、容器本体２へのスライド部材２１の装着は、前述した以外の任意の方法により行うことも可能である。
【００４９】
ここで、本実施の形態においては、本考案の収納容器として薄型ボックス１の容器本体２を示したが、これに限らず、本考案は、他の物品を収納する収納空間を形成する他の収納容器に採用することができる。また、本考案におけるスライド部材の装着対象は、上記のような収納容器に限らず、他の物品であっても構わない。また、本実施の形態においては、容器本体２をポリプロピレン製としたため、スライド部材２１をポリアセタール製としたが、各々を形成する素材はこれ以外の組み合わせであってもよい。なお、容器本体２がポリプロピレン製であるときには、ポリアセタール以外にも、フッ素樹脂等が使用可能である。
【図面の簡単な説明】
【００５０】
【図１】本考案に係る薄型ボックスを示す図である。
【図２】同薄型ボックスの平面図である。
【図３】同薄型ボックスの底面図である。
【図４】バックルを取り外した状態の容器本体の左半分を示す平面図である。
【図５】同状態における容器本体の左半分を示す底面図である。
【図６】容器本体の底面におけるスライド部材の取付部を示す斜視図である。
【図７】スライド部材を示す図であって、（ａ）は平面図、（ｂ）は側面図、（ｃ）はＢ−Ｂ断面図、（ｄ）はＡ−Ａ断面図である。
【図８】容器本体へのスライド部材の取付構造を示す断面図である。
【符号の説明】
【００５１】
１    薄型ボックス
２    容器本体（収納容器）
２ａ    底面
２ｂ    内側底面
３    蓋体
４    バックル
５    膨出部
６    凹部
７    取付凹部
８    リブ
９    貫通穴
１０    円筒部
１１    支持リブ
１２    取付穴
１３    鍔部
２１    スライド部材
２２    一般部
２２ａ    外側表面
２３    取付軸
２４    爪
１００    収納空間
【図１】
0003107595.tif 000003
【図２】
0003107595.tif 000004
【図３】
0003107595.tif 000005
【図４】
0003107595.tif 000006
【図５】
0003107595.tif 000007
【図６】
0003107595.tif 000008
【図７】
0003107595.tif 000009
【図８】
0003107595.tif 000010